(57)【要約】【課題】製造コストを低減することができる原稿読取装置及びこれを備えた画像形成装置を提供する。【解決手段】保持部材３４，３５を形成している板状部材の一部により形成される取付部３００によって、ベルト３６，３７を挟み込んで保持部材３４，３５に取り付ける。これにより、保持部材３４，３５とは別の部材を設けることなく、ベルト３６，３７を保持部材３４，３５に固定することができる。したがって、保持部材３４，３５とは別の部材を用いてベルト３６，３７を保持部材３４，３５に固定するような方法と比べて、製造コストを低減することができるとともに、保持部材３４，３５に対するベルト３６，３７の取付作業を容易にすることができる。【選択図】  図３
2009267926.tif 000002
【特許請求の範囲】
【請求項１】
光源から原稿に向けて光を照射するとともに、当該原稿からの反射光を反射ミラーに反射させて受光部へと導き、当該受光部で上記反射光を受光することによって、原稿の画像を読み取る原稿読取装置であって、
板状部材を折り曲げることにより形成され、上記光源及び上記反射ミラーの少なくとも一方を保持する保持部材と、
原稿の画像を読み取る際に、上記保持部材を移動させるために駆動されるベルトと、
上記保持部材を形成している上記板状部材の一部により形成され、上記ベルトを挟み込んで取り付けるための取付部とを備えたことを特徴とする原稿読取装置。
【請求項２】
上記ベルトは、上記保持部材の移動方向に沿って延びており、
上記取付部には、それぞれ上記移動方向に対して直交方向に延びる板状部材により形成され、上記移動方向に互いに間隔を隔てて配置された３つの支持板と、上記３つの支持板を連結する連結部とが一体的に形成されており、
上記３つの支持板のうち中央の支持板が、上記ベルトの第１面に接触し、上記中央の支持板を挟んで両側の２つの支持板が、上記ベルトの第２面に接触することにより、上記ベルトが上記３つの支持板に挟み込まれて支持されることを特徴とする請求項１に記載の原稿読取装置。
【請求項３】
上記中央の支持板における上記ベルトの第１面との接触面が、上記両側の２つの支持板における上記ベルトの第２面との接触面とは反対側の面に対して同一の面内に延びており、
上記両側の２つの支持板における上記ベルトの第２面との接触面が、上記中央の支持板における上記ベルトの第１面との接触面とは反対側の面に対して同一の面内に延びていることを特徴とする請求項２に記載の原稿読取装置。
【請求項４】
上記中央の支持板における上記ベルトの第１面との接触面が、上記両側の２つの支持板における上記ベルトの第２面との接触面とは反対側の面に対して異なる面内に延びており、当該異なる面間の段差が上記ベルトの厚みよりも小さいことを特徴とする請求項２に記載の原稿読取装置。
【請求項５】
上記保持部材が、金属板を折り曲げることにより形成されており、
上記取付部が、上記保持部材を形成している上記金属板の一部により形成されていることを特徴とする請求項１〜４のいずれかに記載の原稿読取装置。
【請求項６】
請求項１〜５のいずれかに記載の原稿読取装置と、
上記原稿読取装置で読み取った原稿の画像データに基づいて記録紙に画像を形成する画像形成部とを備えたことを特徴とする画像形成装置。
【発明の詳細な説明】
【技術分野】
【０００１】
本発明は、光源から原稿に向けて光を照射するとともに、当該原稿からの反射光を反射ミラーに反射させて受光部へと導き、当該受光部で上記反射光を受光することによって、原稿の画像を読み取る原稿読取装置及びこれを備えた画像形成装置に関するものである。
【背景技術】
【０００２】
原稿読取装置には、原稿に向けて光を照射する光源と、原稿からの反射光を受光する受光部と、原稿からの反射光を反射させて受光部へと導く反射ミラーとが備えられている。原稿は、ガラス板上に置かれた状態で読み取ることができるようになっており、ガラス板を挟んで原稿とは反対側に、上記光源、受光部及び反射ミラーが配置されている。
【０００３】
通常、原稿読取装置には、キャリッジと呼ばれるそれぞれ移動可能な２つの保持部材（第１保持部材及び第２保持部材）が備えられており、これらの保持部材により光源及び複数の反射ミラーが保持される。具体的には、第１保持部材に光源及び反射ミラーが保持されるとともに、第２保持部材には反射ミラーのみが保持される。受光部は、例えば原稿読取装置内に一列に並べられた複数のＣＣＤからなる。
【０００４】
光源は長尺状に形成され、その長手方向がＣＣＤの配列方向（主走査方向）に対して平行に延びるように、第１保持部材に保持されている。各反射ミラーは、光源と同程度の長さを有する長尺状に形成され、その長手方向が主走査方向に対して平行に延びるように、第１保持部材及び第２保持部材にそれぞれ保持されている。光源及び反射ミラーは、各長手方向がガラス板に対して平行に延びており、当該ガラス板上に置かれた原稿に対して、ガラス板を挟んで対向するように配置される。
【０００５】
第１保持部材及び第２保持部材には、それぞれベルトが取り付けられており、各ベルトを駆動させることにより第１保持部材及び第２保持部材を移動させることができるようになっている。第１保持部材及び第２保持部材は、上記主走査方向に直交する副走査方向に沿って移動可能である。また、第１保持部材及び第２保持部材にそれぞれ取り付けられたベルトは、上記副走査方向に沿って延びている。
【０００６】
図７は、従来の保持部材１３４に対するベルト１３６の取付態様を示した斜視図である。また、図８は、図７の保持部材１３４の断面図である。図７及び図８の例では、保持部材１３４に、当該保持部材１３４をベルト１３６に固定するための固定部材１０１が取り付けられている。保持部材１３４は、金属板を折り曲げることにより形成され、水平方向に延びるベルト１３６に対して、水平面内で直交方向に延びるように取り付けられる。固定部材１０１は、金属板を折り曲げることにより形成され、保持部材１３４に取り付けられる取付板１０２と、当該取付板１０２から突出し、ベルト１３６を支持する支持板１０３とが、一体的に形成されている。
【０００７】
取付板１０２は、保持部材１３４の一端部の上面に接するように配置され、ねじ１０４により保持部材１３４に取り付けられる。支持板１０３には、取付板１０２から下方に向かって延びる第１垂直部１０５と、当該第１垂直部１０５の下端に一端部が連結され、水平方向に延びる水平部１０６と、当該水平部１０６の他端部から上方に向かって延びる第２垂直部１０７とが一体的に形成されている。当該支持板１０３の第１垂直部１０５及び第２垂直部１０７が、保持部材１３４に形成されている挿入孔１３５にそれぞれ挿入されるように取付板１０２を取り付けることにより、水平部１０６が保持部材１３４の下面に対して間隔を隔てて対向する。ベルト１３６は、保持部材１３４の下面と固定部材１０１の水平部１０６との間に挟み込まれた状態で固定される。
【０００８】
保持部材とベルトとを連結する方法としては、上記のような方法以外にも、下記特許文献１及び特許文献２のような方法が提案されている。特許文献１には、クリップで保持部材とベルトを挟み込むようにして連結する方法が提案されている。また、特許文献２には、保持部材に形成された櫛歯部材と、保持部材に固定されたクランプ部材の突起との間にベルトを挟み込むようにして連結する方法が提案されている。
【０００９】
【特許文献１】特開平９−１５３９８２号公報
【特許文献２】特開２００２−３２８４３５号公報
【発明の開示】
【発明が解決しようとする課題】
【００１０】
しかしながら、上述のような従来技術は、保持部材とは別の部材を用いてベルトを保持部材に固定するような方法であるため、部品点数が多くなり、製造コストが高くなるとともに、取付作業が煩雑になるといった問題がある。
【００１１】
本発明は上記実情に鑑みてなされたものであり、製造コストを低減することができる原稿読取装置及びこれを備えた画像形成装置を提供することを目的とする。また、本発明は、保持部材に対するベルトの取付作業を容易にすることができる原稿読取装置及びこれを備えた画像形成装置を提供することを目的とする。
【課題を解決するための手段】
【００１２】
第１の本発明に係る原稿読取装置は、光源から原稿に向けて光を照射するとともに、当該原稿からの反射光を反射ミラーに反射させて受光部へと導き、当該受光部で上記反射光を受光することによって、原稿の画像を読み取る原稿読取装置であって、板状部材を折り曲げることにより形成され、上記光源及び上記反射ミラーの少なくとも一方を保持する保持部材と、原稿の画像を読み取る際に、上記保持部材を移動させるために駆動されるベルトと、上記保持部材を形成している上記板状部材の一部により形成され、上記ベルトを挟み込んで取り付けるための取付部とを備えたことを特徴とする。
【００１３】
このような構成によれば、保持部材を形成している板状部材の一部により形成される取付部によって、ベルトを挟み込んで保持部材に取り付けることができる。すなわち、保持部材とは別の部材を設けることなく、ベルトを保持部材に固定することができる。したがって、保持部材とは別の部材を用いてベルトを保持部材に固定するような方法と比べて、製造コストを低減することができるとともに、保持部材に対するベルトの取付作業を容易にすることができる。
【００１４】
第２の本発明に係る原稿読取装置は、上記ベルトは、上記保持部材の移動方向に沿って延びており、上記取付部には、それぞれ上記移動方向に対して直交方向に延びる板状部材により形成され、上記移動方向に互いに間隔を隔てて配置された３つの支持板と、上記３つの支持板を連結する連結部とが一体的に形成されており、上記３つの支持板のうち中央の支持板が、上記ベルトの第１面に接触し、上記中央の支持板を挟んで両側の２つの支持板が、上記ベルトの第２面に接触することにより、上記ベルトが上記３つの支持板に挟み込まれて支持されることを特徴とする。
【００１５】
このような構成によれば、連結部により連結された３つの支持板のうち、中央の支持板をベルトの第１面に接触させ、当該中央の支持板を挟んで両側の２つの支持板をベルトの第２面に接触させることにより、ベルトを挟み込んで支持することができる。このように、ベルトを３つの支持板に挟み込むだけで取り付けることができるので、保持部材に対するベルトの取付作業をより容易にすることができる。
【００１６】
第３の本発明に係る原稿読取装置は、上記中央の支持板における上記ベルトの第１面との接触面が、上記両側の２つの支持板における上記ベルトの第２面との接触面とは反対側の面に対して同一の面内に延びており、上記両側の２つの支持板における上記ベルトの第２面との接触面が、上記中央の支持板における上記ベルトの第１面との接触面とは反対側の面に対して同一の面内に延びていることを特徴とする。
【００１７】
このような構成によれば、３つの支持板について、一方の面がそれぞれ同一面内に延びるとともに、他方の面がそれぞれ同一面内に延びるように形成される。これにより、保持部材を形成している１枚の板状部材を折り曲げることなく３つの支持板を形成することができるので、製造コストをより低減することができる。
【００１８】
第４の本発明に係る原稿読取装置は、上記中央の支持板における上記ベルトの第１面との接触面が、上記両側の２つの支持板における上記ベルトの第２面との接触面とは反対側の面に対して異なる面内に延びており、当該異なる面間の段差が上記ベルトの厚みよりも小さいことを特徴とする。
【００１９】
このような構成によれば、中央の支持板におけるベルトの第１面との接触面と、両側の２つの支持板におけるベルトの第２面との接触面とは反対側の面との間に、ベルトの厚みよりも小さい段差が形成される。これにより、当該段差を介してベルトを３つの支持板に容易に挟み込むことができるので、保持部材に対するベルトの取付作業をさらに容易にすることができる。
【００２０】
第５の本発明に係る原稿読取装置は、上記保持部材が、金属板を折り曲げることにより形成されており、上記取付部が、上記保持部材を形成している上記金属板の一部により形成されていることを特徴とする。
【００２１】
このような構成によれば、保持部材が金属板により形成されるので、加工が容易であり、当該金属板の一部で容易に取付部を形成することができる。
【００２２】
第６の本発明に係る画像形成装置は、上記原稿読取装置と、上記原稿読取装置で読み取った原稿の画像データに基づいて記録紙に画像を形成する画像形成部とを備えたことを特徴とする。
【００２３】
このような構成によれば、第１〜５のいずれかの本発明に係る原稿読取装置と同様の効果を奏する画像形成装置を提供することができる。
【発明の効果】
【００２４】
本発明によれば、保持部材を形成している板状部材の一部により形成される取付部によって、ベルトを挟み込んで保持部材に取り付けることができるので、製造コストを低減することができるとともに、保持部材に対するベルトの取付作業を容易にすることができる。
【発明を実施するための最良の形態】
【００２５】
図１は、本発明の一実施形態に係る画像形成装置１の内部構成を示した概略断面図である。この画像形成装置１は、自動原稿送り装置（ＡＤＦ）２、原稿読取部３、画像形成部４及び給紙部５を備えた複写機である。
【００２６】
ＡＤＦ２は、原稿トレイ２ａを備えており、当該原稿トレイ２ａ上に１枚の原稿を置き、又は、２枚以上の原稿を積層した状態で置くことができるようになっている。ＡＤＦ２は、ピックアップローラ２ｂ及び分離手段（分離ローラとリタードローラの対）２ｃにより、原稿トレイ２ａ上に置かれた原稿を１枚ずつ送り出す。送り出された原稿は、複数の搬送ローラ２ｄ、２ｅ、２ｆにより搬送路２ｇを搬送され、当該搬送路２ｇの途中に位置する読取ポイントＡにおいて、静止したスキャナ３ａにより画像が読み取られる。画像が読み取られた後の原稿は、排出ローラ２ｈにより原稿排出トレイ２ｉ上に順次排出される。
【００２７】
原稿読取部３には、複数のＣＣＤ(Charge Coupled Devices)が、原稿の搬送方向に対して直交する水平方向（図１における紙面の前後方向）である主走査方向に並べて配置されている。原稿読取部３には、ＡＤＦ２により搬送される原稿をスキャナ３ａが静止した状態で読み取る静止読取領域３ｂと、ガラス板３ｄ上に置かれた原稿をスキャナ３ａが移動しながら読み取る移動読取領域３ｃとが備えられている。
【００２８】
図１では、スキャナ３ａが読取ポイントＡの直下の静止読取領域３ｂに静止し、ＡＤＦ２により１枚ずつ搬送される原稿の画像を読み取る状態が示されている。この静止読取領域３ｂで原稿を読み取る場合には、各ＣＣＤで原稿からの反射光を受光することにより主走査が行われるとともに、読取ポイントＡを原稿が搬送されることにより副走査が行われる。一方、移動読取領域３ｃで原稿を読み取る場合には、各ＣＣＤで原稿からの反射光を受光することにより主走査が行われるとともに、スキャナ３ａが主走査方向に直交する水平方向（副走査方向）に移動することにより副走査が行われる。
【００２９】
画像形成部４は、感光体ドラム４ａ、帯電器４ｂ、光書込みユニット４ｃ、現像器４ｄ、転写器４ｅ及び定着器４ｆを備え、電子写真方式により記録紙Ｐに画像を形成する。感光体ドラム４ａの表面には感光体が形成されており、画像形成時には、回転駆動される感光体ドラム４ａの表面が帯電器４ｂにより一様に帯電される。光書込みユニット４ｃは、スキャナ３ａで読み取った原稿の画像データなどに基づいて、ＬＥＤ(Light-Emitting Diode)又はレーザ光源から光を出力する。帯電器４ｂにより一様に帯電された感光体ドラム４ａの表面には、光書込みユニット４ｃから出力される光で露光されることにより、静電潜像が形成される。
【００３０】
静電潜像が形成された感光体ドラム４ａの表面には、現像器４ｄから供給されるトナーが付着することによりトナー像が形成され、このトナー像が転写器４ｅを用いて記録紙Ｐに転写される。トナー像が転写された記録紙Ｐは、定着器４ｆにより加熱処理及び加圧処理が施された後、排出ローラ４ｇから排出トレイ４ｈ上に排出される。
【００３１】
給紙部５は、記録紙Ｐを収容するための記録紙カセット６を備えており、この記録紙カセット６内に設けられた支持板９上に、記録紙Ｐを積層した状態で収容することができるようになっている。支持板９は、その一端部に設けられた支軸９ａを中心に回転可能となっており、支軸９ａ側とは反対側の端部が圧縮ばね９ｂによって上方へ付勢されることにより、最上部の記録紙Ｐが給紙ローラ２１に対して押圧される。この状態で給紙ローラ２１が回転駆動されることにより、記録紙カセット６内に収容されている記録紙Ｐが、搬送路１２に１枚ずつ送り出される。
【００３２】
搬送路１２には、１つ又は複数の搬送ローラ１３が設けられている。記録紙カセット６から１枚ずつ送り出される記録紙Ｐは、搬送ローラ１３により搬送路１２内を搬送され、画像形成部４へと送られる。そして、記録紙Ｐは感光体ドラム４ａの直前で一旦停止され、感光体ドラム４ａに形成されるトナー像を転写させるタイミングに合わせてレジストローラ１４により送り出される。
【００３３】
上記のような画像形成部４及び給紙部５は、筺体１ａ内に配置されており、当該筺体１ａの上面に上記ガラス板３ｄが形成されている。ＡＤＦ２は、筺体１ａの上面に対して上下に開閉可能に取り付けられている。したがって、ガラス板３ｄ上に置かれた原稿をスキャナ３ａで読み取る場合には、ＡＤＦ２を閉じることにより、当該ＡＤＦ２とガラス板３ｄとの間に原稿を挟むことができるようになっている。
【００３４】
図２は、原稿読取部３の具体的構成の一例を示した平面図である。原稿読取部３には、原稿に向けて光を照射する光源３１と、原稿からの反射光を受光する受光部としての上記ＣＣＤ３２と、原稿からの反射光を反射させてＣＣＤ３２へと導く反射ミラー３３とが備えられている。光源３１及び反射ミラー３３は上記スキャナ３ａを構成しており、筐体１ａに対して副走査方向に移動可能に取り付けられている。
【００３５】
この例では、筐体１ａ内に２つの保持部材（第１保持部材３４及び第２保持部材３５）が副走査方向に移動可能に取り付けられており、これらの保持部材３４，３５に光源３１及び反射ミラー３３が保持されている。より具体的には、第１保持部材３４には光源３１及び反射ミラー３３が１つずつ保持されており、第２保持部材３５には２つの反射ミラー３３が保持されている（図２では、第２保持部材３５に保持されている２つの反射ミラー３３が上下に重なっている。）。
【００３６】
光源３１及び各反射ミラー３３は、主走査方向に延びるように各保持部材３４，３５により保持されており、各保持部材３４，３５も主走査方向に長尺形状を有している。筐体１ａ内には、第１保持部材３４を挟んで第２保持部材３５とは反対側に、主走査方向に並べて複数のＣＣＤ３２が配列されている。
【００３７】
このような構成により、第１保持部材３４に保持されている光源３１から原稿に向けて光が照射されると、原稿からの反射光が当該第１保持部材３４に保持されている反射ミラー３３に反射して、第２保持部材３５側へ水平に導かれる。そして、原稿からの反射光は、第２保持部材３５に保持されている一方の反射ミラー３３に反射して下方に向かい、さらに第２保持部材３５に保持されている他方の反射ミラー３３に反射して、ＣＣＤ３２へ水平に導かれる。このようにしてＣＣＤ３２へと導かれた原稿からの反射光を当該ＣＣＤ３２で受光することによって、原稿の画像を読み取ることができる。
【００３８】
第１保持部材３４の主走査方向の一端部には、原稿の画像を読み取る際に、当該第１保持部材３４を移動させるために駆動される第１ベルト３６が取り付けられている。当該第１保持部材３４の主走査方向の他端部（第１ベルト３６が取り付けられている側とは反対側の端部）には、ガイド部（図示せず）が形成されており、当該ガイド部が筺体１ａに形成された対応するガイド部（図示せず）に対して、副走査方向にスライド可能に取り付けられている。また、第２保持部材３５の主走査方向の一端部には、原稿の画像を読み取る際に、当該第２保持部材３５を移動させるために駆動される第２ベルト３７が取り付けられている。当該第２保持部材３５の主走査方向の他端部（第２ベルト３７が取り付けられている側とは反対側の端部）には、ガイド部（図示せず）が形成されており、当該ガイド部が筺体１ａに形成された対応するガイド部（図示せず）に対して、副走査方向にスライド可能に取り付けられている。第１ベルト３６及び第２ベルト３７は、それぞれ保持部材３４，３５に対して直交方向、すなわち保持部材３４，３５の移動方向である副走査方向に沿って延びている。
【００３９】
第１ベルト３６は、第１プーリ３８に掛け回され、第２ベルト３７は、第２プーリ３９に掛け回されている。これらのプーリ３８，３９には、１つ又は複数のギア（図示せず）を介してモータ４０が連結されている。これにより、モータ４０が駆動されると、プーリ３８，３９が回転し、当該プーリ３８，３９に掛け回されているベルト３６，３７が駆動されることにより、当該ベルト３６，３７に取り付けられている保持部材３４，３５が副走査方向に移動するようになっている。
【００４０】
モータ４０及び第１プーリ３８を連結するギアと、モータ４０及び第２プーリ３９を連結するギアとのギア比は、２：１である。したがって、モータ４０の駆動に伴って移動する第１保持部材３４と第２保持部材３５との速度比は、２：１となり、これにより、原稿からの反射光がＣＣＤ３２に到達するまでの光路長が、保持部材３４，３５の位置に関わらず一定に保たれるようになっている。
【００４１】
図３は、保持部材３４，３５の構成の一例を示した斜視図であり、保持部材３４，３５の端部のみを示している。各保持部材３４，３５は、金属板を折り曲げることにより形成されている。各保持部材３４，３５を形成している金属板の一部は、対応するベルト３６，３７を挟み込んで取り付けるための取付部３００を形成している。
【００４２】
図４は、図３の取付部３００の構成を示した側面図である。図３及び図４に示すように、取付部３００には、３つの支持板３０１，３０２，３０３と、これらの支持板を連結する連結部３０４とが、保持部材３４，３５を形成している金属板の一部により一体的に形成されている。各保持部材３４，３５が金属板により形成されるような構成であれば、加工が容易であり、当該金属板の一部で容易に取付部３００を形成することができるが、各保持部材３４，３５は、金属板以外の板状部材により形成することも可能である。
【００４３】
３つの支持板３０１，３０２，３０３は、それぞれ副走査方向（保持部材３４，３５の移動方向）に対して直交方向、すなわち主走査方向に延びる板状部材により形成されている。これらの支持板３０１，３０２，３０３は、それぞれ水平方向に延びており、副走査方向に互いに同一の間隔を隔てて平行に配置されている。各支持板３０１，３０２，３０３の上面は同一の水平面Ｆ１内に延びており、各支持板３０１，３０２，３０３の下面は同一の水平面Ｆ２内に延びている。ただし、各支持板３０１，３０２，３０３間の間隔は、同一でなくてもよい。
【００４４】
各支持板３０１，３０２，３０３は、主走査方向の一方側の各端部において、副走査方向に延びる板状部材からなる連結部３０４により連結されている。当該連結部３０４は、その上面が各支持板３０１，３０２，３０３の上面と同一の水平面Ｆ１内に延びており、下面が各支持板３０１，３０２，３０３の下面と同一の水平面Ｆ２内に延びている。なお、各支持板３０１，３０２，３０３及び連結部３０４は、同一の厚みを有している。
【００４５】
各保持部材３４，３５の取付部３００に各ベルト３６，３７を取り付ける際には、中央の支持板３０２が、対応するベルト３６，３７の下面（第１面）に接触させられる。また、中央の支持板３０２を挟んで両側の２つの支持板３０１，３０３が、対応するベルト３６，３７の上面（第２面）に接触させられる。これにより、各ベルト３６，３７が、対応する保持部材３４，３５の取付部３００における３つの支持板３０１，３０２，３０３に、湾曲した状態で挟み込まれて支持される。
【００４６】
本実施形態では、保持部材３４，３５を形成している板状部材の一部により形成される取付部３００によって、ベルト３６，３７を挟み込んで保持部材３４，３５に取り付けることができる。すなわち、保持部材３４，３５とは別の部材を設けることなく、ベルト３６，３７を保持部材３４，３５に固定することができる。したがって、保持部材３４，３５とは別の部材を用いてベルト３６，３７を保持部材３４，３５に固定するような方法と比べて、製造コストを低減することができるとともに、保持部材３４，３５に対するベルト３６，３７の取付作業を容易にすることができる。
【００４７】
また、中央の支持板３０２をベルト３６，３７の第１面に接触させ、中央の支持板３０２を挟んで両側の２つの支持板３０１，３０３をベルト３６，３７の第２面に接触させることにより、ベルト３６，３７を挟み込んで支持することができる。このように、ベルト３６，３７を３つの支持板３０１，３０２，３０３に挟み込むだけで取り付けることができるので、保持部材３４，３５に対するベルト３６，３７の取付作業をより容易にすることができる。
【００４８】
図３及び図４の例では、中央の支持板３０２におけるベルト３６，３７との接触面（上面）が、両側の２つの支持板３０１，３０３におけるベルト３６，３７の上面との接触面とは反対側の面（上面）に対して、同一の水平面Ｆ１内に延びている。また、両側の２つの支持板３０１，３０３におけるベルト３６，３７の上面との接触面（下面）が、中央の支持板３０２におけるベルト３６，３７の下面との接触面とは反対側の面（下面）に対して、同一の水平面Ｆ２内に延びている。すなわち、３つの支持板３０１，３０２，３０３について、一方の面（上面）がそれぞれ同一面（水平面Ｆ１）内に延びるとともに、他方の面（下面）がそれぞれ同一面（水平面Ｆ２）内に延びるように形成される。これにより、保持部材３４，３５を形成している１枚の板状部材を折り曲げることなく３つの支持板３０１，３０２，３０３を形成することができるので、製造コストをより低減することができる。
【００４９】
図５は、保持部材３４，３５の構成の変形例を示した斜視図であり、保持部材３４，３５の端部のみを示している。各保持部材３４，３５は、図３及び図４の例と同様に、金属板を折り曲げることにより形成され、当該金属板の一部は、対応するベルト３６，３７を挟み込んで取り付けるための取付部３１０を形成している。
【００５０】
図６は、図５の取付部３１０の構成を示した側面図である。図５及び図６に示すように、取付部３１０には、３つの支持板３１１，３１２，３１３と、これらの支持板を連結する連結部３１４とが、保持部材３４，３５を形成している金属板の一部により一体的に形成されている。
【００５１】
３つの支持板３１１，３１２，３１３は、それぞれ副走査方向（保持部材３４，３５の移動方向）に対して直交方向、すなわち主走査方向に延びる板状部材により形成されている。これらの支持板３１１，３１２，３１３は、それぞれ水平方向に延びており、副走査方向に互いに同一の間隔を隔てて平行に配置されている。ただし、各支持板３１１，３１２，３１３間の間隔は、同一でなくてもよい。
【００５２】
中央の支持板３１２を挟んで両側の２つの支持板３１１，３１３の上面は、同一の水平面Ｆ３内に延びているが、中央の支持板３１２の上面は上記水平面Ｆ３とは異なる水平面Ｆ４内に延びている。すなわち、中央の支持板３１２におけるベルト３６，３７の下面との接触面（上面）が、両側の２つの支持板３１１，３１３におけるベルト３６，３７の上面との接触面とは反対側の面（上面）に対して異なる面内に延びている。
【００５３】
両側の２つの支持板３１１，３１３は、主走査方向の一方側の各端部において、副走査方向に延びる板状部材からなる連結部３１４により連結されている。また、両側の２つの支持板３１１，３１３のうち一方の支持板３１３と中央の支持板３１２とは、主走査方向の他方側の端部において、副走査方向に延びる板状部材からなる連結部３１５により連結されている。各連結部３１４，３１５は、その上面が両側の２つの支持板３１１，３１３の上面と同一の水平面内に延びており、下面が当該支持板３１１，３１３の下面と同一の水平面内に延びている。なお、各支持板３１１，３１２，３１３及び各連結部３１４，３１５は、同一の厚みを有している。
【００５４】
中央の支持板３１２に連結されている連結部３１５は、当該支持板３１２側の端部において下方側に折り返されている。これにより、連結部３１５と、当該連結部３１５に連結された中央の支持板３１２は、平面視でＬ字状に屈曲した形状となっている。また、上記のように連結部３１５が折り返されることにより、両側の２つの支持板３１１，３１３の上面が延びる水平面Ｆ３と、中央の支持板３１２の上面が延びる水平面Ｆ４との間に、段差Ｈ１が形成されている。当該段差Ｈ１は、ベルト３６，３７の厚みＨ２よりも小さく設定されている。
【００５５】
各保持部材３４，３５の取付部３１０に各ベルト３６，３７を取り付ける際には、中央の支持板３１２が、対応するベルト３６，３７の下面（第１面）に接触させられる。また、中央の支持板３１２を挟んで両側の２つの支持板３１１，３１３が、対応するベルト３６，３７の上面（第２面）に接触させられる。これにより、各ベルト３６，３７が、対応する保持部材３４，３５の取付部３１０における３つの支持板３１１，３１２，３１３に、湾曲した状態で挟み込まれて支持される。
【００５６】
この例では、上述の通り、中央の支持板３１２におけるベルト３６，３７の下面との接触面（上面）と、両側の２つの支持板３１１，３１３におけるベルト３６，３７の上面との接触面とは反対側の面（上面）との間に、ベルト３６，３７の厚みＨ２よりも小さい段差Ｈ１が形成される。これにより、当該段差Ｈ１を介してベルト３６，３７を３つの支持板３１１，３１２，３１３に容易に挟み込むことができるので、保持部材３４，３５に対するベルト３６，３７の取付作業をさらに容易にすることができる。
【００５７】
以上の実施形態では、ベルト３６，３７の下面が中央の支持板の上面に接触し、ベルト３６，３７の上面が両側の２つの支持板の下面に接触するような構成について説明した。しかし、このような構成に限らず、ベルト３６，３７の上面が中央の支持板の下面に接触し、ベルト３６，３７の下面が両側の２つの支持板の上面に接触するような構成であってもよい。
【００５８】
また、ベルト３６，３７を挟み込んで支持する支持板は、３つに限らず、４つ以上設けられていてもよい。さらに、ベルト３６，３７は、水平に延びるような構成に限らず、水平方向に対して傾斜する方向に延びるような構成であってもよい。
【００５９】
さらに、保持部材３４，３５の主走査方向の両端部にベルトを取り付け、保持部材３４，３５を移動させる場合、保持部材３４，３５の主走査方向の両端部に取付部３００，３１０を形成してもよい。
【００６０】
以上の実施形態では、本発明が複写機などの画像形成装置１に適用された場合について説明したが、このような構成に限らず、本発明は、画像形成部４及び給紙部５などを備えていない原稿読取装置にも適用可能である。
【図面の簡単な説明】
【００６１】
【図１】本発明の一実施形態に係る画像形成装置の内部構成を示した概略断面図である。
【図２】原稿読取部の具体的構成の一例を示した平面図である。
【図３】保持部材の構成の一例を示した斜視図であり、保持部材の端部のみを示している。
【図４】図３の取付部の構成を示した側面図である。
【図５】保持部材の構成の変形例を示した斜視図であり、保持部材の端部のみを示している。
【図６】図５の取付部の構成を示した側面図である。
【図７】従来の保持部材に対するベルトの取付態様を示した斜視図である。
【図８】図７の保持部材の断面図である。
【符号の説明】
【００６２】
１    画像形成装置
３    原稿読取部
３１  光源
３２  ＣＣＤ
３３  反射ミラー
３４，３５  保持部材
３６，３７  ベルト
３８，３９  プーリ
４０    モータ
３００  取付部
３０１，３０２，３０３  支持板
３０４  連結部
３１０  取付部
３１１，３１２，３１３  支持板
３１４，３１５  連結部
【図１】
2009267926.tif 000003
【図２】
2009267926.tif 000004
【図３】
2009267926.tif 000005
【図４】
2009267926.tif 000006
【図５】
2009267926.tif 000007
【図６】
2009267926.tif 000008
【図７】
2009267926.tif 000009
【図８】
2009267926.tif 000010